(57)【要約】【課題】視聴の都度手動によるフルチャンネルスキャンを行って視聴可能なチャンネルを探索する煩雑さを解消し且つ地域間の移動に伴う受信状況の変化に自動的に対応し得るデジタル放送受信装置およびデジタル放送受信方法を提供する。【解決手段】システムコントローラ１６０およびチューナ部１２０の共働によって、受信可能な放送波が存在する可能性のある全周波数帯域乃至相対的に広い周波数帯域を走査して当該デジタル放送受信装置が位置する現在地点において視聴可能な放送の信号を含む放送波を検出するフルスキャンモードでのスキャニング動作と、全周波数帯域の部分である相対的に狭い周波数帯域を走査して当該現在地点において視聴可能な放送の信号を含む放送波を検出するローカルスキャンモードでのスキャニング動作とを選択的に機能させる。【選択図】図１
2008035316.tif 000002
【特許請求の範囲】
【請求項１】
受信したデジタルテレビジョン放送の高周波デジタル変調信号から特定周波数の信号を選択的に抽出し該抽出された特定周波数の信号に基づくトランスポート・ストリームを得るチューナ部と、前記チューナ部で得られたトランスポート・ストリームに基づく映像信号を得るデコーダ部と、前記チューナ部およびデコーダ部を含む装置各部を統括的に制御するシステムコントローラと、当該デジタルテレビジョン放送の映像表示および受信状況に関する表示を行う表示部と、を備えて構成された可搬型のデジタル放送受信装置であって、前記システムコントローラおよび前記チューナ部は、両者の共働によって、受信可能な放送波が存在する可能性のある全周波数帯域乃至相対的に広い周波数帯域を走査して当該デジタル放送受信装置が位置する現在地点において視聴可能な放送の信号を含む放送波を検出するフルスキャンモードでのスキャニング動作と前記全周波数帯域の部分である相対的に狭い周波数帯域を走査して当該現在地点において視聴可能な放送の信号を含む放送波を検出するローカルスキャンモードでのスキャニング動作とを選択的に実行し、該実行した結果として検出された受信状況を前記表示部に表示するように構成されていることを特徴とするデジタル放送受信装置。
【請求項２】
前記システムコントローラおよび前記チューナ部は、更に、両者の共働によって、前記フルスキャンモードおよび／またはローカルスキャンモードにおける走査を通常におけるよりも低速で実行するスロースキャンモードでのスキャニング動作を選択的に実行するように構成されていることを特徴とする請求項１に記載のデジタル放送受信装置。
【請求項３】
前記システムコントローラおよび前記チューナ部は、当初は前記フルスキャンモードによって視聴可能な放送の信号を含む放送波を検出する動作を実行し、視聴可能な放送の信号を含む何れかの放送波が検出されて以降前記ローカルスキャンモードに移行するように構成されていることを特徴とする請求項１に記載のデジタル放送受信装置。
【請求項４】
前記システムコントローラおよび前記チューナ部は、当初は前記フルスキャンモードによって視聴可能な放送の信号を含む放送波を検出する動作を実行し、前記フルスキャンモードによって視聴可能な放送の信号を含む放送波が検出されないときには前記スロースキャンモードに移行するように構成されていることを特徴とする請求項２に記載のデジタル放送受信装置。
【請求項５】
前記システムコントローラおよび前記チューナ部は、当初は前記ローカルスキャンモードによって視聴可能な放送の信号を含む放送波を検出する動作を実行し、前記ローカルスキャンモードによっては視聴可能な放送の信号を含む放送波が検出されないときに前記スロースキャンモードに移行するように構成されていることを特徴とする請求項１に記載のデジタル放送受信装置。
【請求項６】
前記システムコントローラおよび前記チューナ部は、前記スロースキャンモードに移行することによって視聴可能な放送の信号を含む何れかの放送波が検出されたときには前記フルスキャンモードに移行するように構成されていることを特徴とする請求項５に記載のデジタル放送受信装置。
【請求項７】
受信可能な放送波を放送波が存在する全周波数帯域乃至相対的に広い周波数帯域を走査して現在地点において視聴可能な放送の信号を含む放送波を検出するフルスキャンモードでのスキャニング動作と前記全周波数帯域の部分である相対的に狭い周波数帯域を走査して当該現在地点において視聴可能な放送の信号を含む放送波を検出するローカルスキャンモードでのスキャニング動作とを選択的に機能させることを特徴とするデジタル放送受信方法。
【請求項８】
前記フルスキャンモードおよび／またはローカルスキャンモードにおける走査を通常におけるよりも低速で実行するスロースキャンモードでのスキャニング動作を選択的に実行することを特徴とする請求項７に記載のデジタル放送受信方法。
【発明の詳細な説明】
【技術分野】
【０００１】
本発明は、携帯電話機に併設されるデジタル放送受信装置のように移動可能に構成されるデジタル放送受信装置およびデジタル放送受信方法に関する。
【背景技術】
【０００２】
近年、携帯電話機に併設されるデジタル放送受信装置のように移動可能に構成されるデジタル放送受信装置は所謂「ワンセグ」として普及しつつある。
このようなデジタル放送受信装置では、地域間を移動するに伴い受信すべきチャンネル（放送波の周波数）が変化していく。このため、現在地点での最適な受信を行なうについては、受信可能な放送波を予め走査して検出することが必要とされる。
【０００３】
このような必要に応えるために、制御部から選局データを出力してチューナ部で放送波を順次スキャンし、その時受信した夫々の放送波の電波受信品質の情報をベースバンド処理部から得るとともに、この電波受信品質の情報を複数並べて予め表示器に表示することにより視聴に際して視聴可能チャンネルを探す必要をなくそうとする技術が提案されている。
【０００４】
この提案では、携帯電話機として構成された本体のキーボードの中に設けられたチャンネルスキャンボタンを押下すると低位（チャンネル番号の低い）チャンネルから順次該当する放送波を選局され該放送波の受信信号のレベルに応じたＲＳＳＩ情報がベースバンド処理部から出力され、該出力された情報をメモリにチャンネル番号とともに逐次格納する。そして、メモリの夫々の格納領域からチャンネル番号、放送局名、ＲＳＳＩ情報を読み出して、表示器にチャンネル番号或いは放送局名とともに、複数個並べて表示する。
【０００５】
この表示に依拠して、キーボードより、希望チャンネル（チャンネル番号或いは放送局名）を選択すると、チューナ部での選局が実行され、視聴希望する放送局の電波が選択される。そして、選択された放送局の信号はベースバンド処理部を介して、表示部に表示されるとともに、チャンネル番号或いは放送局名、ＲＳＳＩ情報、Ｃ／Ｎ情報、画像情報が必要に応じて表示されるというものである（特許文献１参照）。
【特許文献１】特開２００５−３２８２４６号公報（段落００３６〜段落００４４、図１）
【発明の開示】
【発明が解決しようとする課題】
【０００６】
上述した特許文献１に提案されたデジタル放送受信装置（携帯機器）では、手動によるフルチャンネルスキャンを所要に応じて行う必要がある。また、地域間の移動に伴う受信状況の変化に自動的に対応し得ない。
本発明はこのような事情に鑑みてなされたものであり、視聴の都度手動によるフルチャンネルスキャンを行って視聴可能なチャンネルを探索する煩雑さを解消し且つ地域間の移動に伴う受信状況の変化に自動的に対応し得るデジタル放送受信装置およびデジタル放送受信方法を提供することを目的としている。
【課題を解決するための手段】
【０００７】
上記課題を解決するべく、本願では次に列記するような技術を提案する。
（１）受信したデジタルテレビジョン放送の高周波デジタル変調信号から特定周波数の信号を選択的に抽出し該抽出された特定周波数の信号に基づくトランスポート・ストリームを得るチューナ部と、前記チューナ部で得られたトランスポート・ストリームに基づく
映像信号を得るデコーダ部と、前記チューナ部およびデコーダ部を含む装置各部を統括的に制御するシステムコントローラと、当該デジタルテレビジョン放送の映像表示および受信状況に関する表示を行う表示部と、を備えて構成された可搬型のデジタル放送受信装置であって、前記システムコントローラおよび前記チューナ部は、両者の共働によって、受信可能な放送波が存在する可能性のある全周波数帯域乃至相対的に広い周波数帯域を走査して当該デジタル放送受信装置が位置する現在地点において視聴可能な放送の信号を含む放送波を検出するフルスキャンモードでのスキャニング動作と前記全周波数帯域の部分である相対的に狭い周波数帯域を走査して当該現在地点において視聴可能な放送の信号を含む放送波を検出するローカルスキャンモードでのスキャニング動作とを選択的に実行し、該実行した結果として検出された受信状況を前記表示部に表示するように構成されていることを特徴とするデジタル放送受信装置。
【０００８】
上記（１）のデジタル放送受信装置では、システムコントローラおよびチューナ部の共働によって、受信可能な放送波が存在する可能性のある全周波数帯域乃至相対的に広い周波数帯域を走査して当該デジタル放送受信装置が位置する現在地点において視聴可能な放送の信号を含む放送波を検出するフルスキャンモードでのスキャニング動作と、全周波数帯域の部分である相対的に狭い周波数帯域を走査して当該現在地点において視聴可能な放送の信号を含む放送波を検出するローカルスキャンモードでのスキャニング動作とを選択的に実行するため、視聴可能な放送の信号を含む放送波を検出するに際して、毎回、時間が掛り消費電力が大きいフルスキャンモードでのスキャニング動作を実行することが必要とされず、適宜の条件下でローカルスキャンモードでのスキャニング動作が選択されるため、受信状況に係る検出結果を得るまでの時間が総じて短縮され且つ節電が図られる。  
【０００９】
（２）前記システムコントローラおよび前記チューナ部は、更に、両者の共働によって、前記フルスキャンモードおよび／またはローカルスキャンモードにおける走査を通常におけるよりも低速で実行するスロースキャンモードでのスキャニング動作を選択的に実行するように構成されていることを特徴とする（１）のデジタル放送受信装置。
上記（２）のデジタル放送受信装置では、（１）のデジタル放送受信装置において特に、フルスキャンモードおよび／またはローカルスキャンモードにおける走査を通常におけるよりも低速で実行するスロースキャンモードでのスキャニング動作を選択的に実行するため、通常のスキャンモードでは当該現在地点において視聴可能な放送の信号を含む放送波を検出することが困難な条件下においても、スロースキャンモードを選択することによって、無駄な検出動作が行われる頻度を低減させて節電を図ることができる。
【００１０】
（３）前記システムコントローラおよび前記チューナ部は、当初は前記フルスキャンモードによって視聴可能な放送の信号を含む放送波を検出する動作を実行し、視聴可能な放送の信号を含む何れかの放送波が検出されて以降前記ローカルスキャンモードに移行するように構成されていることを特徴とする（１）のデジタル放送受信装置。
上記（３）のデジタル放送受信装置では、（１）のデジタル放送受信装置において特に、当初はフルスキャンモードによって視聴可能な放送の信号を含む放送波を検出する動作を実行し、視聴可能な放送の信号を含む何れかの放送波が検出されて以降ローカルスキャンモードに移行する。このため、視聴可能な放送の信号を含む放送波を検出するに適切な条件が整った時点から自動的にローカルスキャンモードに移行して、検出結果を得るまでの時間が総じて短縮され且つ節電が図られる。
【００１１】
（４）前記システムコントローラおよび前記チューナ部は、当初は前記フルスキャンモードによって視聴可能な放送の信号を含む放送波を検出する動作を実行し、前記フルスキャンモードによって視聴可能な放送の信号を含む放送波が検出されないときには前記スロースキャンモードに移行するように構成されていることを特徴とする（２）のデジタル放送受信装置。
【００１２】
上記（４）のデジタル放送受信装置では、（２）のデジタル放送受信装置において特に、当初はフルスキャンモードによって視聴可能な放送の信号を含む放送波を検出する動作を実行し、このフルスキャンモードによっては視聴可能な放送の信号を含む放送波が検出されないときには、スロースキャンモードに移行する。このため、通常のフルスキャンモードによっては視聴可能な放送の信号を含む放送波が検出されないような条件下においても、視聴可能な放送の信号を含む何れかの放送波を検出することが可能になる。
【００１３】
（５）前記システムコントローラおよび前記チューナ部は、当初は前記ローカルスキャンモードによって視聴可能な放送の信号を含む放送波を検出する動作を実行し、前記ローカルスキャンモードによっては視聴可能な放送の信号を含む放送波が検出されないときに前記スロースキャンモードに移行するように構成されていることを特徴とする（１）のデジタル放送受信装置。
【００１４】
上記（５）のデジタル放送受信装置では、（１）のデジタル放送受信装置において特に、当初はローカルスキャンモードによって視聴可能な放送の信号を含む放送波を検出する動作を実行し、このローカルスキャンモードによっては視聴可能な放送の信号を含む放送波が検出されないときにスロースキャンモードに移行する。このため、通常のローカルスキャンモードによっては視聴可能な放送の信号を含む放送波が検出されないような条件下においても、視聴可能な放送の信号を含む何れかの放送波を検出することが可能になる。
【００１５】
（６）前記システムコントローラおよび前記チューナ部は、前記スロースキャンモードに移行することによって視聴可能な放送の信号を含む何れかの放送波が検出されたときには前記フルスキャンモードに移行するように構成されていることを特徴とする（５）のデジタル放送受信装置。
上記（６）のデジタル放送受信装置では、（５）のデジタル放送受信装置において特に、一旦スロースキャンモードに移行することによって視聴可能な放送の信号を含む何れかの放送波が検出されたときにはフルスキャンモードに移行して、素早い選局動作への復帰が行なわれ、受信状況の変化に対し応答性に優れた特性が実現される。
【００１６】
（７）受信可能な放送波を放送波が存在する全周波数帯域乃至相対的に広い周波数帯域を走査して現在地点において視聴可能な放送の信号を含む放送波を検出するフルスキャンモードでのスキャニング動作と前記全周波数帯域の部分である相対的に狭い周波数帯域を走査して当該現在地点において視聴可能な放送の信号を含む放送波を検出するローカルスキャンモードでのスキャニング動作とを選択的に機能させることを特徴とするデジタル放送受信方法。
【００１７】
上記（７）のデジタル放送受信方法によれば、受信可能な放送波を放送波が存在する全周波数帯域乃至相対的に広い周波数帯域を走査して現在地点において視聴可能な放送の信号を含む放送波を検出するフルスキャンモードでのスキャニング動作と、全周波数帯域の部分である相対的に狭い周波数帯域を走査して当該現在地点において視聴可能な放送の信号を含む放送波を検出するローカルスキャンモードでのスキャニング動作とが選択的に機能するため、視聴可能な放送の信号を含む放送波を検出するに際して、毎回、時間が掛り消費電力が大きいフルスキャンモードでのスキャニング動作を実行することが必要とされず、適宜の条件下でローカルスキャンモードでのスキャニング動作が選択されるため、検出結果を得るまでの時間が総じて短縮され且つ節電が図られる。
【００１８】
（８）前記フルスキャンモードおよび／またはローカルスキャンモードにおける走査を通常におけるよりも低速で実行するスロースキャンモードでのスキャニング動作を選択的に機能させることを特徴とする（７）のデジタル放送受信方法。
上記（８）のデジタル放送受信方法では、（７）のデジタル放送受信方法において特に、フルスキャンモードおよび／またはローカルスキャンモードにおける走査を通常におけるよりも低速で実行するスロースキャンモードでのスキャニング動作を選択的に実行することによって、通常のスキャンモードでは当該現在地点において視聴可能な放送の信号を含む放送波を検出することが困難な条件下においても、スロースキャンモードを選択することによって、無駄な検出動作が行われる頻度を低減させて節電を図ることができる。
【発明を実施するための最良の形態】
【００１９】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのデジタル放送受信装置の構成を表すブロック図である。このデジタル放送受信装置は、携帯電話機に附設される所謂「ワンセグ」のデジタルテレビジョン受像機の形を採るが、専ら携帯電話機として機能する部分については図示を省略してある。
【００２０】
図１において、アンテナ１１０で受信したデジタルテレビジョン放送の高周波デジタル変調信号から特定周波数の信号を選択的に抽出し該抽出された特定周波数の信号に基づくトランスポート・ストリームを得るチューナ部１２０と、このチューナ部１２０で得られたトランスポート・ストリームに基づく映像信号を得るデコーダ部１３０が設けられ、このデコーダ部１３０の出力は、ＯＳＤ部１４０で形成される文字データその他の種々の表示用データと合成されて、例えば液晶表示器等で構成される表示部１５０に供給され、映像の表示が行なわれる。
【００２１】
チューナ部１２０、デコーダ部１３０、および、ＯＳＤ部１４０を含む装置各部を統括的に制御するシステムコントローラ１６０が設けられ、このシステムコントローラ１６０には、チューナ部１２０とシステムコントローラ１６０との共働によって、当該デジタル放送受信装置が位置する現在地点において視聴可能な放送の信号を含む放送波を検出したときの検出結果としてのデータやその他のデータを保持するためのメモリ部１７０、および、携帯電話機として機能する場合の操作部を兼ねたユーザが種々の操作を行うための操作を受付ける操作部１８０が接続されている。上述のように、メモリ部１７０はネットワークＩＤメモリとしても機能する。
【００２２】
チューナ部１２０およびデコーダ部１３０の構成について、更に詳細に説明する。チューナ部１２０は復調回路、逆インタリーブ回路、誤り訂正回路等を備え、選択したデジタル変調信号を復調してトランスポート・ストリームを出力し、出力されたトランスポート・ストリームをデコーダ部１３０に供給する。
デコーダ部１３０は、供給されたトランスポート・ストリームを、ＩＥＥＥにおけるＨ．２６４などのビデオストリーム、オーディオストリーム、及びＰＳＩ／ＳＩ（Program Specific Information／Service Information）や放送情報（地域識別子、サービス種別
、放送局識別、サービス番号、リモートコントロールキーＩＤ）などに分離するデマルチプレクサ、および、入力された符号化信号を復号して量子化係数や動きベクトルを求め、逆ＤＣＴ変換や動きベクトルに基づく動き補償制御などを行って映像データを生成するビデオデコーダを備えたＨ．２６４デコーダ等を含んで構成されている。
【００２３】
また、ＯＳＤ部１４０は、ＯＳＤ（オンスクリーンディスプレイ）回路と加算器を含んで構成され、ＯＳＤ回路はシステムコントローラ１６０から出力指示された文字情報や色情報に基づく映像データを加算器に出力する。加算器はシステムコントローラ１６０からの映像データをデコード部１３０から出力される受信映像データに組み込む処理を行う。このＯＳＤ回路により、メニュー画面やチャンネル選択用の受信可能な放送波などの表示
（即ち、スキャニング動作によって検出された受信状況を表す、後述する図４に例示するような表示）が行えることになる。
【００２４】
以上の構成を持つ本実施の形態のデジタル放送受信装置は、システムコントローラ１６０およびチューナ部１２０の共働によって、受信可能な放送波が存在する可能性のある全周波数帯域乃至相対的に広い周波数帯域を走査して当該デジタル放送受信装置が位置する現在地点において視聴可能な放送の信号を含む放送波を検出するフルスキャンモードでのスキャニング動作と、全周波数帯域の部分である相対的に狭い周波数帯域を走査して当該現在地点において視聴可能な放送の信号を含む放送波を検出するローカルスキャンモードでのスキャニング動作と、の２種類の動作モードが選択的に機能し得る。
【００２５】
このため、視聴可能な放送の信号を含む放送波を検出するに際して、毎回、時間が掛り消費電力が大きいフルスキャンモードでのスキャニング動作を実行することが必要とされず、適宜の条件下でローカルスキャンモードでのスキャニング動作が選択されるため、検出結果を得るまでの時間が総じて短縮され且つ節電が図られる。
通常、製品（本デジタル放送受信装置）購入時等に、ユーザが初めてその製品を使う場合にフルスキャンモードでのスキャニング動作を行い、その後は、一定期間毎に、ローカルスキャンモードでのスキャニング動作を実行し、その時点での状況に応じた表示を表示部１５０に行う。
【００２６】
尚、本実施の形態のデジタル放送受信装置は、携帯電話機に附設されるような可搬型のものであり、その所在位置は一定せず、移動を伴なうものであることを前提として、この移動に対応し得るように構成されており、また、この点を技術的な特徴としている。
図２は、図１の装置のフルスキャンモードにおける動作を表すフローチャートである。
【００２７】
ユーザが本デジタル放送受信装置を使用する当初における、或いは、その後における、図１の操作部１８０からの電源をオンにする操作などに応答して装置が起動すると、先ず、走査対象のチャンネル番号に相応する変数ｎを１に設定する（ステップＳ２０１）。次いで、チャンネルｎ（即ち、当初は１であり、１番目のチャンネルであるチャンネル１３に対応する）に対する選局動作を試みる（ステップＳ２０２）。次いで、ステップＳ２０２での選局動作の対象としたチャンネルｎについてネットワークＩＤの取得動作を試みる（ステップＳ２０３）。ステップＳ２０３の実行の結果、ネットワークＩＤが取得されたか否かを判定し（ステップＳ２０４）、ネットワークＩＤが取得されたときには（ステップＳ２０４：Ｙｅｓ）、そのチャンネルｎ（即ち、当初は１であり、１番目のチャンネルであるチャンネル１３に対応する）についてネットワークＩＤのデータを記録する（既にデータが得られている場合はそのデータを新たに取得されたデータに書き換える（ステップＳ２０５）。
【００２８】
ステップＳ２０５に次いで、チャンネル番号に相応する変数ｎが、走査対象として予定した末尾に当たるチャンネルの順位Ｎ（例えば２０であり、これはチャンネル３２に対応する）に達したか否かが判定される（ステップＳ２０６）。この結果、チャンネル番号に相応する変数ｎが、走査対象として予定した末尾のチャンネル番号Ｎに達していないときには（ステップＳ２０６：Ｎｏ）、変数ｎの現在値に１を加えて（ステップＳ２０７）ステップＳ２０２に戻る。
【００２９】
一方、ステップＳ２０４でネットワークＩＤが取得されないときには（ステップＳ２０４：Ｎｏ）、ステップＳ２０５を経ずにステップＳ２０６へスキップする。
ネットワークＩＤが取得される都度、該取得されたデータを図１を参照して説明したネットワークＩＤメモリとしてのメモリ部１７０に所定のフォームで格納してローカルスキャンリストを作成する。このローカルスキャンリストは、ネットワークＩＤと受信チャン
ネル（物理チャンネル）との対応表である。
【００３０】
ステップＳ２０６でチャンネル番号に相応する変数ｎが、走査対象として予定した末尾に当たるチャンネルの順位Ｎ（例えば２０であり、これはチャンネル３２に対応する）に達したと判定されたときには（ステップＳ２０６：Ｙｅｓ）は、フルスキャンモードでの走査を、例えば確実性を期するために、繰り返し行なうという条件が設定されているといったときの繰り返し回数を充足するなど、フルスキャンモードでの走査（スキャン）条件が満たされたか否かが判定され（ステップＳ２０８）、スキャン条件が満たされたときには（ステップＳ２０８：Ｙｅｓ）、フルスキャンモードでのスキャニング動作を終了する。ここにＮは、例えば１３チャンネルから最大で６２チャンネルまでであるが、場合によっては３１チャンネルまでとしてもよい。
一方、スキャン条件が満たされていないときには（ステップＳ２０８：Ｎｏ）、ステップＳ２０１に戻って、フルスキャンモードでの冒頭からの動作を繰り返す。
【００３１】
図３は、図１の装置のローカルスキャンモードにおける動作を表すフローチャートである。先ず、図２を参照して説明したフルスキャンモードでの走査過程でネットワークＩＤを取得しながら形成したローカルスキャンリストを参照する（ステップＳ３０１）。
次いで、当該ローカルスキャンリスト所載の冒頭のチャンネル番号をチャンネル番号に相応する変数ｎとして設定する（ステップＳ３０２）。
【００３２】
ステップＳ３０２で設定されたチャンネルｎ（即ち、当初はローカルスキャンリスト所載の冒頭のチャンネル）に対する選局動作を試みる（ステップＳ３０３）。次いで、ステップＳ３０３での選局動作の対象としたチャンネルｎについてネットワークＩＤの取得動作を試みる（ステップＳ３０４）。
ステップＳ３０４の実行の結果、ネットワークＩＤが取得されたか否かを判定し（ステップＳ３０５）、ネットワークＩＤが取得されたときには（ステップＳ３０５：Ｙｅｓ）、そのチャンネルｎについてネットワークＩＤのデータを新たに取得されたデータに書き換える（ステップＳ３０６）。
【００３３】
次いで、チャンネル番号に相応する変数ｎが、ローカルスキャンリストの末尾のチャンネル番号に達したか否かが判定される（ステップＳ３０７）。この結果、チャンネル番号に相応する変数ｎが、走査対象として予定したローカルスキャンリストの末尾のチャンネル番号に達していないときには（ステップＳ３０７：Ｎｏ）、変数ｎの値をローカルスキャンリストにおける次のチャンネル番号に更新し（ステップＳ３０８）ステップＳ３０３に戻る。
【００３４】
一方、ステップＳ３０５でネットワークＩＤが取得されないときには（ステップＳ３０５：Ｎｏ）、ステップＳ３０６を経ずにステップＳ３０７へスキップする。
ネットワークＩＤが取得される都度、該取得されたデータによってローカルスキャンリストを更新する。
ステップＳ３０７でチャンネル番号に相応する変数ｎが、走査対象として予定したローカルスキャンリストの末尾のチャンネル番号に達したと判定されたときには（ステップＳ３０７：Ｙｅｓ）は、ローカルスキャンでの走査によって正規にネットワークＩＤが取得されたか否かが判定され（ステップＳ３０９）、取得されないときには（ステップＳ３０９：Ｎｏ）、ローカルスキャンモードでのスキャニング動作を終了する。
【００３５】
一方、正規にネットワークＩＤが取得されたときには（ステップＳ３０９：Ｙｅｓ）、ステップＳ３０１に戻って、ローカルスキャンモードでの処理を冒頭から繰り返す。
以上、図２を参照して説明したフルスキャンモードでのスキャニング動作は、これによって、その地点で受信可能な放送局を認識することであり、たとえば、その地点が大阪地区
であるのか、名古屋地区であるのか、長野地区であるのかの識別を行うことに相当する。また、図３を参照して説明したローカルスキャンモードでのスキャニング動作は、これによって、その地区に存在するはずの、たとえば長野地区ではＮＨＫ２局と、民放４局を順次スキャンすることであり、スキャンした結果（受信品質を示す受信状況）を表示部１５０に表示する。この表示では、例えば長野地区の諏訪駅前のある時間における各放送局からの信号の状況が表示される。
【００３６】
可搬型のデジタル放送受信装置では、場所により、受信される信号の状況が大きく変化するので、良好に受信される局もあれば、受信できない状態の局も発生する。特に屋内や、建物の多い野外などではこの状況が著しくなる。このような状況に対応し、一定時間間隔でスキャンすることで、正しくその場所で受信できる局が表示され得る。
【００３７】
図４は、図１の表示部１５０において、正規にネットワークＩＤが取得されたチャンネルを表示している様子を表す図である。図示の場合、チャンネルＢが、正規にネットワークＩＤが取得されたチャンネルとして、例えば点灯し或いは表示色を変えて表示されている。
本発明の実施の形態では、システムコントローラ１６０およびチューナ部１２０は、更に、両者の共働によって、上述のフルスキャンモードやローカルスキャンモードにおける走査を、通常におけるよりも低速で（即ち、通常におけるよりも広いスキャンインターバルで）実行するスロースキャンモードでのスキャニング動作を選択的に実行するように構成されている。
【００３８】
これは、長時間ビル内などの受信不可能地点に居る場合には、スロースキャンモードでのスキャニング動作を行うようにして、無駄な検出動作が行われる頻度を低減させて節電（バッテリーセイビング）を図るためである。スロースキャン状態で野外などの受信良好な地点に出てくれば、そのときに受信したチャンネルを受信できるので、スロースキャンモードでのスキャニング動作の必要がなくなったと判断し、一旦フルスキャンモードでのスキャニング動作を実行した後、ローカルスキャンモードに移行する。
【００３９】
図５は、図１の装置のスロースキャンモードにおける動作を表すフローチャートである。先ず、走査対象のチャンネル番号に相応する変数ｎを１に設定する（ステップＳ５０１）。次いで、チャンネルｎ（即ち、当初は１であり、１番目のチャンネルであるチャンネル１３に対応する）に対する選局動作を試みる（ステップＳ５０２）。次いで、ステップＳ５０２での選局動作の対象としたチャンネルｎについてネットワークＩＤの取得動作を試みる（ステップＳ５０３）。
【００４０】
ステップＳ５０３の実行の結果、ネットワークＩＤが取得されたか否かを判定し（ステップＳ５０４）、ネットワークＩＤが取得されたときには（ステップＳ５０４：Ｙｅｓ）、そのチャンネルｎについてネットワークＩＤのデータを記録する（既にデータが得られている場合はそのデータを新たに取得されたデータに書き換え（ステップＳ５０５）、スロースキャンを終了する。
【００４１】
一方、ステップＳ５０４でネットワークＩＤが取得されないときには（ステップＳ５０４：Ｎｏ）、次いで、チャンネル番号に相応する変数ｎが、走査対象として予定した末尾に当たるチャンネルの順位Ｎ（例えば２０であり、これはチャンネル３２に対応する）に達したか否かが判定される（ステップＳ５０６）。
この結果、チャンネル番号に相応する変数ｎが、走査対象として予定した末尾のチャンネル番号Ｎに達していないときには（ステップＳ５０６：Ｎｏ）、変数ｎの現在値に１を加えて（ステップＳ５０７）ステップＳ５０２に戻る。
【００４２】
他方、チャンネル番号に相応する変数ｎが、走査対象として予定した末尾のチャンネル番号Ｎに達したときには（ステップＳ５０６：Ｙｅｓ）、スロースキャンを終了する。
以上、図２、図３、および、図５を参照して説明したフルスキャンモード、ローカルスキャンモード、および、スロースキャンモードにおけるネットワークＩＤのデータの記録乃至書き換えは、例えば、フルスキャンモードでは本デジタル放送受信装置の動作開始時か、スロースキャン後の受信復帰時に行うことになる。
【００４３】
本デジタル放送受信装置の動作開始時には、初めてネットワークＩＤが記録される。スロースキャンモードでのスキャニング動作後のフルスキャンモード実行の時には、例えば、東京から北海道に移動後であれば、東京のＩＤから北海道のＩＤに書き換えになる。ビル内など、受信できない場所にいて、野外に出た場合には、同じＩＤを再度書きこむことになる。
【００４４】
図６は、図１の装置における電源投入当初におけるスキャンモードの切り替わりの一例を表すフローチャートである。
この例では、電源投入当初は、図２のフローチャートを参照して説明したフルスキャンモードが実行される（ステップＳ６０１）。このステップＳ６０１でのフルスキャンモードでのスキャニング動作によってネットワークＩＤが検出されたか否かが判定され（ステップＳ６０２）、ネットワークＩＤが検出されたときには（ステップＳ６０２：Ｙｅｓ）、次いで、図３のフローチャートを参照して説明したローカルスキャンモードが実行される（ステップＳ６０３）。
【００４５】
ステップＳ６０３でのローカルスキャンモードでのスキャニング動作によってネットワークＩＤが検出されたか否かが判定され（ステップＳ６０４）、ネットワークＩＤが検出されたときには（ステップＳ６０４：Ｙｅｓ）、これ以降ローカルスキャンモードが繰り返される（ステップＳ６０３）。
ステップＳ６０２で、フルスキャンモードによってはネットワークＩＤが検出されなかったと判断されたとき（ステップＳ６０２：Ｎｏ）、および、ステップＳ６０４で、ローカルスキャンモードによってはネットワークＩＤが検出されなかったと判断されたときには（ステップＳ６０４：Ｎｏ）、何れの場合も、図５のフローチャートを参照して説明したスロースキャンモードでのスキャニング動作が実行される（ステップＳ６０５）。
【００４６】
ステップＳ６０５でのスロースキャンモードでのスキャニング動作によってネットワークＩＤが検出されたか否かが判定され（ステップＳ６０６）、ネットワークＩＤが検出されたときには（ステップＳ６０４：Ｙｅｓ）、ステップＳ６０１に戻り、一方、ネットワークＩＤが検出されなかったと判断されたときには（ステップＳ６０６：Ｎｏ）、スロースキャンモードが繰り返される（ステップＳ６０５）。
【００４７】
以上、図６のフローチャートを参照して説明した例では、当初はフルスキャンモードによって視聴可能な放送の信号を含む放送波を検出する動作を実行し、視聴可能な放送の信号を含む何れかの放送波が検出されて以降ローカルスキャンモードに移行する（ステップＳ６０１→ステップＳ６０２→ステップＳ６０３）。このため、視聴可能な放送の信号を含む放送波を検出するに適切な条件が整った時点から自動的にローカルスキャンモードに移行して、検出結果を得るまでの時間が総じて短縮され且つ節電が図られる。
【００４８】
また、当初はフルスキャンモードによって視聴可能な放送の信号を含む放送波を検出する動作を実行し、このフルスキャンモードによっては視聴可能な放送の信号を含む放送波が検出されないときには、スロースキャンモードに移行する（ステップＳ６０１→ステップＳ６０２→ステップＳ６０５）。このため、通常のフルスキャンモードによっては視聴可能な放送の信号を含む放送波が検出されないような条件下においても、視聴可能な放送
の信号を含む何れかの放送波を検出することが可能になる。
【００４９】
また、一旦スロースキャンモードに移行することによって視聴可能な放送の信号を含む何れかの放送波が検出されたときにはフルスキャンモードに移行して（ステップＳ６０５→ステップＳ６０６→ステップＳ６０１）、素早い選局動作への復帰が行なわれ、受信状況の変化に対し応答性に優れた特性が実現される。
【００５０】
図７は、図１の装置における電源投入当初におけるスキャンモードの切り替わりの他の例を表すフローチャートである。この例は、既述のローカルスキャンリストが用意されている場合に実行される。
この例では、電源投入当初は、図３のフローチャートを参照して説明したローカルスキャンモードが実行される（ステップＳ７０１）。このステップＳ７０１でのローカルスキャンモードでのスキャニング動作によってネットワークＩＤが検出されたか否かが判定され（ステップＳ７０２）、ネットワークＩＤが検出されたときには（ステップＳ７０２：Ｙｅｓ）、これ以降ローカルスキャンモードでのスキャニング動作が繰り返される（ステップＳ７０１）。
【００５１】
ステップＳ７０２でネットワークＩＤが検出されなかったと判定されたときには（ステップＳ７０２：Ｎｏ）、図５のフローチャートを参照して説明したスロースキャンモードでのスキャニング動作に移行する（ステップＳ７０３）。
ステップＳ７０３でのスロースキャンモードでのスキャニング動作によってネットワークＩＤが検出されたか否かが判定され（ステップＳ７０４）、ネットワークＩＤが検出されたと判定されたときには（ステップＳ７０４：Ｙｅｓ）、図２のフローチャートを参照して説明したフルスキャンモードでのスキャニング動作に移行する（ステップＳ７０５）。
【００５２】
ステップＳ７０５のフルスキャンモードでのスキャニング動作によってネットワークＩＤが検出されたか否かが判定され（ステップＳ７０６）、ネットワークＩＤが検出されたと判定されたときには（ステップＳ７０６：Ｙｅｓ）、ステップＳ７０１に戻る。
一方、ステップＳ７０４でスロースキャンモードによってはネットワークＩＤが検出されなかったと判断されたとき（ステップＳ７０４：Ｎｏ）、および、ステップＳ７０６でフルスキャンモードによってはネットワークＩＤが検出されなかったと判断されたときには（ステップＳ７０６：Ｎｏ）、何れの場合も、スロースキャンモードが繰り返される（ステップＳ７０３）。
【００５３】
以上、図７を参照して説明した例では、当初はローカルスキャンモードによって視聴可能な放送の信号を含む放送波を検出する動作を実行し、このローカルスキャンモードによっては視聴可能な放送の信号を含む放送波が検出されないときにスロースキャンモードに移行する（ステップＳ７０１→ステップＳ７０２→ステップＳ７０３）。このため、通常のローカルスキャンモードによっては視聴可能な放送の信号を含む放送波が検出されないような条件下においても、視聴可能な放送の信号を含む何れかの放送波を検出することが可能になる。
また、一旦スロースキャンモードに移行することによって視聴可能な放送の信号を含む何れかの放送波が検出されたときにはフルスキャンモードに移行して（ステップＳ７０３→ステップＳ７０４→ステップＳ７０５）、素早い選局動作への復帰が行なわれ、受信状況の変化に対し応答性に優れた特性が実現される。
【００５４】
図８は、各スキャンモードにおけるスキャンインターバルについて説明するための図である。
フルスキャンモード時には1秒程度のインターバルで全チャンネルをスキャンする。こ
れを複数回繰り返してもよい。その後、１０秒程度の間隔をあけ、ローカルスキャンモードでのスキャニング動作を行う。ローカルスキャンモード時の各チャンネルスキャン間隔は１秒程度である。これを通常状態として繰り返す。スロースキャンモードに入ると各チャンネル１０秒程度のインターバルで所定のチャンネルスキャンを行う。これを繰り返すが、繰り返しのインターバルは１００秒程度とする。従って、通常のスキャニングモードに比してスロースキャンモードではチャンネルの検出の頻度が１０分の１程度に粗なものとなり、この時間間隔に相応して節電が図られることになる。
【００５５】
フルスキャンモードでは地上デジタル放送に割り当てられたすべてのチャンネル、即ち、ＵＨＦ帯の１３〜６２チャンネルを順次スキャンする。但し、実際には１３〜６２チャンネルの全ては使われておらず（各地域とも、高々１０〜１５チャンネル程度であり、且つ、３２チャンネル程度までに収まっている）、適当なチャンネル（例えば３２チャンネル）までスキャンすれば実質的に十分である。図示の例は東京近郊と、関東エリアのチャンネルを全てスキャンするという範囲で描かれており、１８チャンネルに次いで２０チャンネルへと飛ぶのは、東京では１９チャンネルが使われていないことによるものである。既述のように、ローカルスキャンモードでは、フルスキャンモードでのスキャニングの対象とされる帯域の一部の周波数を受信する。
【００５６】
図２のフローチャートを参照して既述のように、フルスキャンモードは検出を確実に行うために予め予定した回数繰り返して実行するようにしてもよい。
また、フルスキャンモードでは、各チャンネルを順次スキャンする他、奇数チャンネルと偶数チャンネルとを交互にスキャンするようにして実行してもよい。
スロースキャンモードについても、３２チャンネルまでスキャンすれば略十分であると考えられる。また、スロースキャンモードにおいても、各チャンネルを順次にスキャンする他、奇数チャンネルと偶数チャンネルとを交互にスキャンするようにして実行してもよい。
【００５７】
以上、各図を参照して説明した本発明の技術思想は、受信可能な放送波を放送波が存在する全周波数帯域乃至相対的に広い周波数帯域を走査して現在地点において視聴可能な放送の信号を含む放送波を検出するフルスキャンモードでのスキャニング動作と前記全周波数帯域の部分である相対的に狭い周波数帯域を走査して当該現在地点において視聴可能な放送の信号を含む放送波を検出するローカルスキャンモードでのスキャニング動作とを選択的に機能させることを特徴とするデジタル放送受信方法として見ることができる。
【００５８】
この方法によれば、視聴可能な放送の信号を含む放送波を検出するに際して、毎回、時間が掛り消費電力が大きいフルスキャンモードでのスキャニング動作を実行することが必要とされず、適宜の条件下でローカルスキャンモードでのスキャニング動作が選択されるため、検出結果を得るまでの時間が総じて短縮され且つ節電が図られる。
更に、上述の方法において、特に、フルスキャンモードおよび／またはローカルスキャンモードにおける走査を通常におけるよりも低速で実行するスロースキャンモードでのスキャニング動作を選択的に機能させることによって、通常のスキャンモードでは当該現在地点において視聴可能な放送の信号を含む放送波を検出することが困難な条件下においても、スロースキャンモードを選択することによって、無駄な検出動作が行われる頻度を低減させて節電を図ることができる。
【図面の簡単な説明】
【００５９】
【図１】本発明の実施の形態としてのデジタル放送受信装置の構成を表すブロック図である。
【図２】図１の装置のフルスキャンモードにおける動作を表すフローチャートである。
【図３】図１の装置のローカルスキャンモードにおける動作を表すフローチャートである。
【図４】図１の表示部１５０において、正規にネットワークＩＤが取得されたチャンネルを表示している様子を表す図である。
【図５】図１の装置のスロースキャンモードにおける動作を表すフローチャートである。
【図６】図１の装置における電源投入当初におけるスキャンモードの切り替わりの一例を表すフローチャートである。
【図７】図１の装置における電源投入当初におけるスキャンモードの切り替わりの他の例を表すフローチャートである。
【図８】各スキャンモードにおけるスキャンインターバルについて説明するための図である。
【符号の説明】
【００６０】
１１０…アンテナ  １２０…チューナ部  １３０…デコーダ部  １４０…ＯＳＤ部  １５０…表示部  １６０…システムコントローラ  １７０…メモリ部  １８０…操作部
【図１】
2008035316.tif 000003
【図２】
2008035316.tif 000004
【図３】
2008035316.tif 000005
【図４】
2008035316.tif 000006
【図５】
2008035316.tif 000007
【図６】
2008035316.tif 000008
【図７】
2008035316.tif 000009
【図８】
2008035316.tif 000010